(57)【特許請求の範囲】
【請求項１】
信号が入力される第１および第２の入力端子と、
上記第１の入力端子から入力される信号を衛星放送の帯域信号と地上放送の帯域信号とに分波する分波器と、
上記衛星放送と上記地上放送とを受信可能なチューナ部と、
上記分波器の上記地上放送の帯域信号の出力側から上記チューナ部へ信号が供給される第１の設定と、上記第２の入力端子から上記チューナ部へ信号が供給される第２の設定とで、選択的に接続を切り換える切換部と、
上記第１の設定と上記第２の設定とのそれぞれにおいて上記地上放送の信号を検出し、検出結果と検出されたときの上記切換部の設定とに基づき、上記切換部の設定を制御する制御部と
を有する受信装置。
【発明の詳細な説明】
【技術分野】
【０００１】
この発明は、例えば、複数個の入力端子を用いて複数種類の放送信号を入力する受信装置に関する。
【背景技術】
【０００２】
現在、日本国内では、ＶＨＦ（Very High Frequency）／ＵＨＦ（Ultra High Frequency）帯を使用する地上アナログ放送が行われている。また、ＳＨＦ（Super High Frequency）帯を使用するＢＳ（Broadcasting Satellite）デジタル、ＣＳ（Communication Satellite）デジタルなどの衛星放送が行われている。さらに、近年では、一部の地域において、ＵＨＦ帯を使用した地上デジタル放送が開始されている。
【０００３】
これらの放送は、受信アンテナとテレビジョン受像機などの受信装置とを接続することによって受信することができる。例えば、衛星デジタル放送および地上アナログ／デジタル放送の受信に対応した受信装置は、通常、衛星アンテナ用の入力端子と地上アンテナ用の入力端子とを別々に備えており、衛星アンテナと衛星アンテナ用の入力端子、地上アンテナと地上アンテナ用の入力端子をそれぞれ接続する必要がある。つまり、衛星用と地上用とで、それぞれ１本ずつ、合計２本のアンテナ線で接続する必要があった。以下、このような受信装置を分離入力のみ対応の受信装置と称する。
【０００４】
ところで、近年、ケーブル・テレビ（ＣＡＴＶ；cable television）による信号配信や、集合住宅などにおける共聴環境の増加などに伴い、衛星放送の信号と地上放送の信号とが混合されて各家庭などに配信されるケースが大幅に増えており、今後もこの傾向は続くものと考えられる。以下、このように複数種類の放送信号を混合して配信することを混合配信と称する。
【０００５】
例えば、以下の特許文献１には、ＣＳアンテナを設置し、また、ＣＳ、ＢＳ、Ｕ、Ｖ、ＦＭ分配切換付きブースタを配電盤内に設置し、それぞれの配電盤内の入出力ケーブルを接続することによって、ＣＳ放送を各壁面コンセントの任意の１端子のみに追加共聴することができる共聴システムが提案されている。
【０００６】
【特許文献１】特開２００１−８６０２１号公報
【発明の開示】
【発明が解決しようとする課題】
【０００７】
しかしながら、このように受信できる放送の種類、受信アンテナで受信された信号の混合の有無および組み合わせは、数多く存在する。したがって、信号に対する知識に詳しくないユーザが入力端子の接続を適切に行うことは困難であるという問題点があった。
【０００８】
例えば、混合配信の環境において分離入力のみ対応の受信装置を設置する場合、１つのアンテナアウトレットから、別途用意した分配器もしくは分波器を利用して、受信装置側の２つの入力部に信号を入力するか、２つのアンテナアウトレットと受信装置側の２つの入力部とを、冗長に２本のケーブルを用いて接続していた。
【０００９】
１つのアンテナアウトレットにより接続する場合、ユーザは、分配器もしくは分波器をあらかじめ用意しておく必要があり、手間やコストがかかるという難点がある。また、この場合、適切に配線し接続を行う必要があるが、接続を間違えてしまう可能性があり、ユーザにとって不便であった。受信装置の製造側にとっては、このように接続の間違いが生じやすいと、誤って不良と認識されて返品される、電話サポートなどのコストが増えるなどの不都合が生じやすかった。
【００１０】
また、２つのアンテナアウトレットにより接続する場合、配線が多く引き回しに不都合である。また、この場合、他の受信装置を近傍に設置する場合などには、アンテナアウトレットが不足する可能性が高く、不足した場合には、ユーザが分配器を用意しなければならなかった。
【００１１】
したがって、この発明の目的は、入力端子への接続を正確、簡単且つ安全に行える受信装置を提供することにある。
【課題を解決するための手段】
【００１２】
上述した課題を解決するために、第１の発明は、信号が入力される第１および第２の入力端子と、第１の入力端子から入力される信号を衛星放送の帯域信号と地上放送の帯域信号とに分波する分波器と、衛星放送と地上放送とを受信可能なチューナ部と、分波器の地上放送の帯域信号の出力側からチューナ部へ信号が供給される第１の設定と、第２の入力端子からチューナ部へ信号が供給される第２の設定とで、選択的に接続を切り換える切換部と、第１の設定と第２の設定とのそれぞれにおいて地上放送の信号を検出し、検出結果と検出されたときの切換部の設定とに基づき、切換部の設定を制御する制御部とを有する受信装置である。
【００１５】
第１の発明では、第１の設定と第２の設定とのそれぞれにおいて地上放送の信号を検出し、検出結果と検出されたときの切換部の設定とに基づき、切換部の設定が制御されるため、自動的に最適な入力設定とすることができる。例えば、切換部が第１の設定である際に、地上放送の信号が検出された場合に、切換部を第２の設定に自動的に切り換えることができる。
【発明の効果】
【００１６】
この発明によれば、自動的に最適な入力設定とすることができるため、専門知識のないユーザであっても最適な設定を行うことができ、ユーザの接続に関する負担を軽減することができる。混合配信の環境であっても、分配器、分波器などを新たに設置せずに、混合配信による放送を受信することができる。分離入力の環境であっても、混合配信の環境であっても、チューナ部以降は、従来とほぼ同じ構成とすることができる。
【発明を実施するための最良の形態】
【００１７】
この発明は、複数個の入力端子を用いて複数種類の放送信号を入力可能に構成されているテレビジョン受像機、セットトップボックス、ビデオカセットレコーダ、ハードディスクレコーダ、ＤＶＤ（Digital Versatile Disc）レコーダ、ハードディスク＋ＤＶＤレコーダ、ホームサーバなどの受信装置に適用することができる。また、そのような受信装置において使用可能な受信方法、プログラムに適用することができる。
【００１８】
この発明における受信装置は、アンテナ接続部と、ＲＦ（radio frequency）フロントエンドパック、ＰＬＬ（phase-locked loop）およびデモジュレータなどとの間に配置されるハードウェア（以下、「スプリッタ」と称する）に関する部分に特徴を有しており、それ以外のハードウェアの基本部分は、従来の受信装置と同様の構成とされている。そこで、以下に記載するこの発明の実施形態では、本願の特徴を有するスプリッタに関する部分についてのみ、図面を参照して詳細に説明する。
【００１９】
この発明の一実施形態による受信装置は、衛星デジタル放送、地上デジタル放送、地上アナログ放送をそれぞれ処理可能な２つのユニバーサルフロントエンドパックを備え、各ユニバーサルフロントエンドパックにおいて、衛星デジタル放送、地上デジタル放送、地上アナログ放送を受信可能とされている。ここで、ユニバーサルフロントエンドパックとは、複数の放送信号を受信するチューナと復調部などによって構成されるもののことをいう。
【００２０】
図１は、この発明の一実施形態による受信装置のスプリッタに関する部分の構成の一例を示す。この受信装置は、スプリッタ部１、メインチューナ部３、サブチューナ部４、制御部５およびユーザインターフェース部６を備えている。
【００２１】
スプリッタ部１は、入力端子１１，１２、分波器１３、切換器１４，１５，１６、増幅器１７，１８、混合器１９、分配器２０、放送信号出力部２１，２２および制御信号入力部２３などによって構成されている。
【００２２】
入力端子１１は、衛星デジタル放送信号（以下、適宜、衛星信号と略する）の入力と、衛星信号と地上デジタル放送信号および／または地上アナログ放送信号（以下、適宜、地上信号と略する）とが混合された信号（以下、適宜、混合信号と称する）の入力に対応している。入力端子１２は、地上信号の入力のみに対応している。例えば、衛星デジタル放送信号は、ＳＨＦ（１２ＧＨｚ）帯を使用して送信され、地上デジタル放送信号は、ＵＨＦ（４４０ＭＨｚ〜７７０ＭＨｚ）帯を使用して送信され、地上アナログ放送信号は、ＵＨＦ帯とＶＨＦ（９０ＭＨｚ〜２２０ＭＨｚ）帯とを使用して送信される。
【００２３】
入力端子１１，１２は、共に同じコネクタ形状を有している。例えば、入力端子１１，１２は、共に受信アンテナと接続された同軸ケーブルなどを接続可能なＦ型コネクタのレセプタクルで構成される。すなわち、衛星信号の入力に対応していない入力端子１２に混合信号や衛星信号のみが供給されるアンテナ線を接続してしまうといったように、不適切な接続が物理的には可能となっている。なお、アンテナ線の接続とは、受信アンテナとの接続をいい、ケーブルなどを介する間接的な接続であってもよいし、直接的な接続であってもよい。
【００２４】
入力端子１１から入力される信号は、分波器１３に供給される。分波器１３は、入力端子１１から入力される信号を、衛星デジタル放送の帯域の信号（以下、適宜、衛星帯域信号と称する）と、地上デジタルおよび／または地上アナログ放送の帯域の信号（以下、適宜、地上帯域信号と称する）とに分波する。
【００２５】
切換器１４は、制御信号入力部２３を介して、後述する制御部５から供給される制御信号Ａに基づき、切換器１６を介して混合器１９に供給される信号を、分波器１３によって分波された地上帯域信号と、入力端子１２から入力される信号とから選択的に切り換える。
【００２６】
増幅器１７は、分波器１３によって分波された衛星帯域信号を増幅して出力する。増幅器１８は、切換器１４によって選択された信号を増幅して出力する。
【００２７】
切換器１５は、制御信号入力部２３を介して制御部５から供給される制御信号Ｂに基づき、混合器１９に供給される信号を、分波器１３によって分波された衛星帯域信号と、増幅器１７によって増幅された信号とから選択的に切り換える。
【００２８】
切換器１６は、制御信号入力部２３を介して制御部５から供給される制御信号Ｃに基づき、混合器１９に供給される信号を、切換器１４によって選択された信号と、増幅器１８によって増幅された信号とから選択的に切り換える。
【００２９】
混合器１９は、衛星帯域信号と地上帯域信号とを混合するものであり、切換器１５によって選択された信号と切換器１６によって選択された信号とを混合する。混合器１９によって混合された信号は、分配器２０に供給される。
【００３０】
分配器２０は、混合器１９によって混合された信号を分配する。なお、分配器２０は、分岐器とすることもできる。分配器２０によって分配された混合信号は、それぞれ放送信号出力部２１，２２から出力され、メインチューナ部３の放送信号入力部３１およびサブチューナ部４の放送信号入力部４１のそれぞれに供給される。
【００３１】
なお、この例では、混合器１９によって混合された信号を、分配器２０によって２分配し、メインチューナ部３とサブチューナ部４とに放送信号を供給しているが、チューナ部の数は、メインチューナ部３とサブチューナ部４との２つに限ったものではなく、１つであっても、３つ以上であってもよい。また、スプリッタ部１とメインチューナ部３、サブチューナ部４とを別々に構成せずに、一体的に構成してもよい。さらに、制御部５とスプリッタ部１、メインチューナ部３およびサブチューナ部４とを、別々に構成しているが、これらを一体的な構成としてもよい。
【００３２】
メインチューナ部３は、放送信号入力部３１、分波器３２、衛星デジタルチューナ３３、衛星デジタル復調・復号部３４、地上アナログ／デジタルチューナ３５および地上デジタル復調・復号部３６などによって構成されている。
【００３３】
スプリッタ部１の放送信号出力部２１から放送信号入力部３１に供給された信号は、分波器３２に入力される。分波器３２は、放送信号入力部３１から供給された信号を衛星帯域信号と地上帯域信号とに分波して出力する。
【００３４】
分波器３２によって分波された衛星帯域信号は、衛星デジタルチューナ３３に供給される。衛星デジタルチューナ３３は、分波器３２から供給された衛星帯域信号から、選択されている衛星デジタル放送のチャンネルの選局、すなわち周波数選択を行う。衛星デジタルチューナ３３で選局された信号は、衛星デジタル復調・復号部３４に供給される。
【００３５】
衛星デジタル復調・復号部３４は、衛星デジタルチューナ３３から供給された信号に対して、８ＰＳＫ（Phase Shift Keying）、ＱＰＳＫ（Quadrature Phase Shift Keying）などの復調・復号、ＴＭＣＣ（Transmission and Multiplexing Configuration Control）復号、デインタリーブ、フレーム分離、リードソロモン復号などの処理を施して、衛星デジタル放送のトランスポートストリーム（ＴＳ）を復号する。衛星デジタル復調・復号部３４で復号されたトランスポートストリームは、メインチューナ部３から出力される。
【００３６】
分波器３２によって分波された地上帯域信号は、地上アナログ／デジタルチューナ３５に供給される。地上アナログ／デジタルチューナ３５は、分波器３２から供給された地上帯域信号が地上アナログ信号である場合には、選択されている地上アナログ放送のチャンネルの選局、すなわち周波数選択を行う。この地上アナログ／デジタルチューナ３５で選局された信号は、地上アナログ放送のビデオ・サウンド（Ｖ・Ｓ）信号として、メインチューナ部３から出力される。
【００３７】
分波器３２から供給された地上帯域信号が地上デジタル信号である場合には、地上アナログ／デジタルチューナ３５は、選択されている地上デジタル放送のチャンネルの選局、すなわち周波数選択を行う。この地上アナログ／デジタルチューナ３５で選局された信号は、地上デジタル復調・復号部３６に供給される。
【００３８】
地上デジタル復調・復号部３６は、地上アナログ／デジタルチューナ３５から供給された信号に対して、６４ＱＡＭ（Quadrature Amplitude Modulation）、１６ＱＡＭなどの復調・復号、ＴＭＣＣ復号、デインタリーブ、階層処理、エネルギー逆拡散などの処理を施して、地上デジタル放送のトランスポートストリーム（ＴＳ）を復号する。地上デジタル復調・復号部３６で復号されたトランスポートストリームは、メインチューナ部３から出力される。
【００３９】
サブチューナ部４は、放送信号入力部４１、分波器４２、衛星デジタルチューナ４３、衛星デジタル復調・復号部４４、地上アナログ／デジタルチューナ４５および地上デジタル復調・復号部４６などによって構成されている。サブチューナ部４は、上述したメインチューナ部３とほぼ同様の構成および動作をする。
【００４０】
すなわち、サブチューナ部４を構成する放送信号入力部４１、分波器４２、衛星デジタルチューナ４３、衛星デジタル復調・復号部４４、地上アナログ／デジタルチューナ４５および地上デジタル復調・復号部４６のそれぞれは、上述したメインチューナ部３を構成する放送信号入力部３１、分波器３２、衛星デジタルチューナ３３、衛星デジタル復調・復号部３４、地上アナログ／デジタルチューナ３５および地上デジタル復調・復号部３６とそれぞれ同様の構成および動作をする。そのため、ここではサブチューナ部４の説明は省略する。
【００４１】
メインチューナ部３は、判定信号出力部３７を介して各放送信号の受信状態を判定するための判定信号を制御部５に供給する。例えば、図示するように、衛星デジタル放送に関する判定信号は、衛星デジタルチューナ３３から制御部５に供給され、地上アナログ放送および地上デジタル放送に関する判定信号は、地上アナログ／デジタルチューナ３５から制御部５に供給される。
【００４２】
なお、メインチューナ部３とサブチューナ部４には分配器２０によって分配された信号が供給されるため、これら判定信号は、サブチューナ部４から制御部５に供給する構成であってもよい。また、正確性を高めるために、メインチューナ部３とサブチューナ部４の両方から供給する構成としてもよい。なお、これら判定信号に関しては、後述する。
【００４３】
制御部５は、受信装置の全体または一部の動作を制御する。この例では、この制御部５による制御は、ソフトウェアを利用して実現される。すなわち、制御部５は、マイクロコンピュータなどのコンピュータ装置によって構成されており、図示しないＲＯＭ（Read Only Memory）、ＲＡＭ（Random Access Memory）などの記憶部を利用してプログラムを読み込み実行することによって、プログラムの処理に基づき受信装置の各部の動作を制御する。記憶部には、プログラムによる各種処理において使用される各種情報も記憶される。なお、このプログラムおよび各種情報は、ハードディスクなどの記録部に記録されてもよい。
【００４４】
図示しない外部記憶装置を用いて、制御部５が実行可能なプログラム、プログラムファイルなどのデータを、着脱自在なＤＶＤ（digital versatile disc）、メモリカードなどの外部ストレージから取得可能としてもよい。また、これらデータを、インターネットなどのネットワークを介して取得可能に構成してもよいし、放送信号中から取得可能に構成してもよい。なお、制御部５による制御は、ソフトウェアに限らず、ハードウェアによって実現してもよい。
【００４５】
制御部５は、ユーザインターフェース部６と接続されており、ユーザがユーザインターフェース部６を用いて明示的にアンテナ線の接続設定、増幅器１７のオン／オフの設定および増幅器１８のオン／オフの設定などをそれぞれ行えるようになっている。これらユーザによる設定情報は、例えば上述した記憶部に記憶され、制御部５は、この記憶されている設定情報に基づき制御信号Ａ，Ｂ，Ｃを生成する。
【００４６】
ここでまず、アンテナ線の接続設定について説明する。ユーザは、アンテナ線の接続設定として、１軸によって衛星信号と地上信号とを入力、２軸によって衛星信号と地上信号とを入力、１軸によって衛星信号のみを入力、１軸によって地上信号のみを入力の４つから選択的に設定可能とされている。
【００４７】
１軸によって衛星信号と地上信号とを入力する場合、すなわち、混合信号のアンテナ線による入力の場合には、ユーザは、混合信号のアンテナ線を入力端子１１に接続する。この場合、スプリッタ部１の入力設定が混合入力設定とされる。混合入力設定では、混合入力軸である入力端子１１から地上信号を取得するように切換器１４が制御される。
【００４８】
２軸によって衛星信号と地上信号とを受信装置に入力する場合、すなわち、衛星信号のアンテナ線と地上信号のアンテナ線とによって入力する場合には、ユーザは、衛星信号のアンテナ線を入力端子１１に接続し、地上信号のアンテナ線を入力端子１２に接続する。この場合、スプリッタ部１の入力設定が分離入力設定とされる。分離入力設定では、地上専用入力軸である入力端子１２から地上信号を取得するように切換器１４が制御される。
【００４９】
１軸によって衛星信号のみを受信装置に入力する場合、すなわち、衛星信号のアンテナ線のみによって入力する場合には、ユーザは、衛星信号のアンテナ線を入力端子１１に接続する。この場合、スプリッタ部１の入力設定は、混合入力設定と分離入力設定のどちらでもよいが、設定と異なる接続が行われた場合であっても安全性が保たれるように例えば混合入力設定とされる。
【００５０】
１軸によって地上信号のみを受信装置に入力する場合、すなわち、地上信号のアンテナ線のみによって入力する場合には、ユーザは、地上信号のアンテナ線を入力端子１２に接続する。この場合、スプリッタ部１の入力設定が分離入力設定とされる。地上信号のアンテナ線を入力端子１１に接続し、スプリッタ部１の入力設定を混合入力とすることも考えられるが、この受信装置では、設定と異なる接続が行われた場合であっても安全性が保たれるように、この接続を接続エラーとしている。
【００５１】
図２は、混合入力設定、分離入力設定のそれぞれにおける切換器１４の状態と信号経路とを示す。なお、この信号経路は、すべてのアンテナ線が適切に接続されていることを前提としている。地上信号は、混合入力設定では、図２Ａに示すように、入力端子１１、分波器１３、切換器１４，１６などを経由して混合器１９に供給され、分離入力設定では、図２Ｂに示すように、入力端子１２、切換器１４，１６などを経由して混合器１９に供給される。なお、衛星信号は、どちらの入力設定においても、入力端子１１、分波器１３、切換器１５などを経由して混合器１９に供給される。
【００５２】
すなわち、制御部５は、制御信号Ａによって、分離入力設定とされている場合には、切換器１６を介して混合器１９に供給される信号が入力端子１２から供給される信号となるように切換器１４を制御し、混合入力設定とされている場合には、切換器１６を介して混合器１９に供給される信号が分波器１３によって分波された地上帯域信号となるように切換器１４を制御する。
【００５３】
このように、スプリッタ部１は、切換器１４を操作することによって、地上信号を、入力端子１１と入力端子１２のいずれから取得するのかを設定することが可能となっている。なお、スプリッタ部１の入力設定は、ユーザによる手動的なアンテナ線の接続設定に限らず、自動的な設定も行われる。この自動的な設定については、後述する。
【００５４】
次に、増幅器１７，１８のオン／オフの設定について説明する。制御部５は、制御信号Ｂによって、衛星帯域信号用の増幅器１７の設定がオンとなっている場合には、混合器１９に供給される信号が増幅器１７を通して増幅した信号となるように切換器１５を制御し、増幅器１７の設定がオフとなっている場合には、混合器１９に供給される信号が分波器１３によって分波された増幅されていない衛星帯域信号となるように切換器１５を制御する。
【００５５】
また、制御部５は、制御信号Ｃによって、地上帯域信号用の増幅器１８の設定がオンとなっている場合には、混合器１９に供給される信号が増幅器１８を通して増幅した信号となるように切換器１６を制御し、増幅器１８の設定がオフとなっている場合には、混合器１９に供給される信号が切換器１４から入力される増幅されていない信号となるように切換器１６を制御する。
【００５６】
入力端子１１から混合信号が入力された場合には、分波器１３によって、スプリッタ部１の内部において衛星帯域信号と地上帯域信号とに分離される。この分離を行うことによって、衛星信号、地上信号のそれぞれに対して増幅器１７，１８により増幅するか否かを選択することができるようになる。すなわち、放送信号の入力環境に合わせて増幅するか否かを柔軟に選択することができ、地上信号と衛星信号とで入力レベルが異なるときなどに効果的に機能させることができる。
【００５７】
増幅器１７，１８のオン／オフの設定は、ユーザによる手動的なものに限らず、自動的な設定も行われる。この自動的な設定については、後述する。なお、アンテナレベルに応じて、アンテナレベルが高い放送信号は増幅せず、アンテナレベルが低い放送信号のみ増幅するように、増幅器１７，１８のオン／オフの設定を自動的に切り換えるようにしてもよい。この場合、アンテナレベルは、例えば、各放送用のチューナから制御部５に供給する。なお、増幅器１７，１８の部分は、増幅のみでなく、アンテナレベルが高すぎる場合に、入力される放送信号を減衰させる構成であってもよい。
【００５８】
ユーザインターフェース部６は、ユーザに対して各種情報を提示可能にすると共に、ユーザから操作信号を入力可能とするためのものである。受信装置での各処理中におけるユーザとのやり取りは、ユーザインターフェース部６を介して行われる。この例では、受信装置または受信装置に接続された装置が備える表示装置を利用し、ＧＵＩ（graphical user interface）によって各種情報をユーザに提示可能とされ、リモートコントローラ用コマンダ（以下、リモコンと称する）を用いてユーザが受信装置を操作可能とされている。なお、ユーザインターフェース部６は、これに限ったものではなく、例えば、スピーカなどの音声出力装置を利用し、音声によってユーザに各種情報を提示したり、タッチパネルを用いてユーザが受信装置を操作可能とされていたりしてもよい。
【００５９】
一実施形態による受信装置は、制御部５が自動的にスプリッタ部１および他のハードウェア部分を制御して動作させ、各種測定を行うことにより、分離入力／混合入力の最適な設定の自動判定を行う機能（以下、自動判定と称する）を実現する。すなわち、制御部５は、判定信号出力部３７を介してメインチューナ部３から供給される判定信号に基づいて、信号の入力状態を自動的に判定し、分離入力／混合入力を最適に切り換える。また、その結果得られた情報やその結果が得られる過程において得られた情報などを、ユーザインターフェース部６を用いてユーザに提示する機能を実現する。
【００６０】
これにより、一実施形態による受信装置は、ユーザによる間違った接続、望ましくない接続などの不適切な接続を検出した場合に、ユーザインターフェース部６を用いてユーザに確認を促すことができる。さらに、自動的に判定された結果がユーザの意図した接続となっているか否かをユーザに確認させることができる。
【００６１】
これら機能は、例えば、受信装置におけるアンテナ線の接続設定処理に適用される。図３は、この接続設定処理の一例を示すフローチャートである。接続設定処理は、例えば、ユーザがメニューなどから接続設定用の項目を選択することによって開始される。なお、初期状態では、電源を投入した際に自動的に接続設定処理が開始されるとしてもよい。
【００６２】
接続設定処理では、まず、自動判定による検出を行うか、手動による設定を行うかをユーザに選択させる（ステップＳ１）。図４は、このときユーザに提示される表示画面の一例を示す。表示画面５１は、メッセージ部５２と選択部５３とから構成されており、ユーザは、自動判定による検出を行うか、手動による設定を行うかを、選択部５３の選択項目から選択する。図示した例では、「自動で検出する」、すなわち自動判定による検出を行う方の項目が選択されている。なお、メッセージ部５２に表示されているように、ユーザは、選択する前にあらかじめアンテナ線を接続しておく必要がある。
【００６３】
ステップＳ１において自動判定による検出が選択されたと判定されると、自動判定＆結果提示処理によって、アンテナ線の接続の確認とユーザへの確認結果の提示がなされ、再設定するか否かをユーザに選択させる（ステップＳ３）。なお、自動判定＆結果提示処理の詳細については後述する。
【００６４】
図５は、アンテナ線の接続の確認をしている際に、ユーザに提示される表示画面の一例を示す。表示画面５１には、アンテナ線の接続を確認中である旨と進行状況とが表示されている。
【００６５】
ここで、確認結果の種類について説明する。一実施形態による受信装置では、後述する自動判定＆結果提示処理によって、最適な入力が図６に示すケース１〜６のいずれであるかが判定される。ユーザへの確認結果の提示は、この判定結果に応じて行われる。図７〜図１２は、ケース１〜６のそれぞれに対応する確認結果の表示画面の例である。図６〜図１２に示すＢＳ／１１０度ＣＳ端子は、入力端子１１に対応し、ＶＨＦ／ＵＨＦ端子は、入力端子１２に対応する。なお、図６に示す自動判定の結果の選択肢は、あくまで一例であり、ケース１〜６のみに限定されるものではない。
【００６６】
ケース１は、入力端子１１と入力端子１２のそれぞれから、衛星信号と地上信号が検出された場合である。この場合、図７に示すように、表示画面５１のメッセージ部５４1には、入力端子１１，１２の接続が共に確認され、衛星信号と地上信号の両方が検出された旨が表示される。また、メッセージ部５４1には、再設定するか否かを選択させる旨の表示がされており、再設定するか否かを選択部５５の選択項目から選択可能とされている。図示した例では、「はい」、すなわち再設定する方の項目が選択されている。
【００６７】
ケース２は、入力端子１２から地上信号のみが検出された場合である。この場合、図８に示すように、表示画面５１のメッセージ部５４2には、入力端子１２の接続のみが確認され、地上信号のみが検出された旨が表示される。また、ケース１と同様に、再設定するか否かが選択可能とされている。
【００６８】
ケース３は、入力端子１１のみから衛星信号と地上信号の両方が検出された場合である。この場合、図９に示すように、表示画面５１のメッセージ部５４3には、入力端子１１の接続のみが確認され、衛星信号と地上信号の両方が検出された旨が表示される。また、ケース１と同様に、再設定するか否かが選択可能とされている。
【００６９】
ケース４は、入力端子１１から地上信号のみが検出された場合である。この場合、図１０に示すように、表示画面５１のメッセージ部５４4には、入力端子１１の接続のみが確認され、地上信号のみが検出された旨が表示される。また、地上信号の入力の間違い（逆接続）による接続エラーと判定し、接続エラーである旨が表示される。なお、この場合、接続エラーであるため、強制的に再設定を行わなければならないようになっている。
【００７０】
ケース５は、入力端子１１から衛星信号のみが検出された場合である。この場合、図１１に示すように、表示画面５１のメッセージ部５４5には、入力端子１１の接続のみが確認され、衛星信号のみが検出された旨が表示される。また、ケース１と同様に、再設定するか否かが選択可能とされている。
【００７１】
ケース６は、入力端子１１，１２のいずれからも衛星信号、地上信号のいずれも検出されなかった場合である。この場合、図１２に示すように、表示画面５１のメッセージ部５４6には、入力端子１１，１２のいずれの接続も確認されず、衛星信号と地上信号とが共に検出されなかった旨が表示される。また、放送信号の未検出による接続エラーと判定し、接続エラーである旨が表示される。なお、この場合、ケース４と同様に、強制的に再設定を行うようにしている。
【００７２】
なお、一実施形態では、ケース４とケース６であった場合に、誤接続もしくは望ましくない接続であるとして接続エラーとしているが、接続エラーとする条件は、これに限ったものではない。
【００７３】
接続設定処理では、ステップＳ３において、このようなユーザへの確認結果の提示を行い、再設定が選択されたと判定されると、ステップＳ１に処理が戻される。また、ステップＳ３において再設定が選択されなかったと判定されると、接続設定処理が終了する。
【００７４】
ステップＳ１において手動による設定が選択されたと判定された場合には、ユーザにアンテナ線の接続設定をアンテナ種類から選択させ、選択されたアンテナ種類に基づきスプリッタ部１の入力設定を切り換え（ステップＳ５）、接続設定処理を終了する。
【００７５】
図１３は、アンテナ線の接続設定をユーザに選択させる際に提示される表示画面の一例を示す。表示画面５１のメッセージ部５６には、ユーザにアンテナ線の接続設定の選択を促す旨の表示がされており、選択部５７に示されるアンテナ種類の項目から所望のものを選択可能とされている。ユーザには、ユーザにとって直感的な選択肢を提示することが好ましく、図示した例では、「地上と衛星を別々に接続」、「地上と衛星を混合して接続」、「地上のみを接続」、「衛星のみを接続」という選択肢が提示されている。また、この例では、「地上と衛星を別々に接続」の項目が選択されている。
【００７６】
ここで、上述した自動判定＆結果提示処理について詳細に説明する。図１４は、自動判定＆結果提示処理の一例を示すフローチャートである。自動判定＆結果提示処理が開始されると、まず、アンテナ接続を判定する際に参照される結果格納変数が初期化される（ステップＳ１１）。この例では、結果格納変数として、「地上信号」、「地上信号検出ＩＦ」、「衛星信号」および「衛星信号検出ＩＦ」の４種類を使用している。
【００７７】
「地上信号」は、地上信号の検出状態を示すものであり、「地上信号検出ＩＦ」は、検出された地上信号のＩＦ（Intermediate Frequency）の種類を示すものである。「衛星信号」は、衛星信号の検出状態を示すものであり、「衛星信号検出ＩＦ」は、検出された衛星信号のＩＦを示すものである。初期化によって、「地上信号」および「衛星信号」が共に「未検出」とされ、「地上信号検出ＩＦ」および「衛星信号検出ＩＦ」が共に「不明」とされる。
【００７８】
ステップＳ１１において結果格納変数が初期化されると、地上アナログ信号検出処理が行われる（ステップＳ１２）。地上アナログ信号検出処理では、地上アナログ信号の検出と、検出された地上アナログ信号のＩＦの判定とが行われる。なお、地上アナログ信号検出処理の詳細については、後述する。
【００７９】
ステップＳ１２において地上アナログ信号検出処理が行われると、地上アナログ信号検出処理の結果に基づき、地上アナログ信号に関する検出結果の判定が行われる（ステップＳ１３）。
【００８０】
ステップＳ１３において地上アナログ信号が検出され、且つ検出された地上アナログ信号のＩＦが確定されたと判定されると、「地上信号」が「検出」とされ、「地上信号検出ＩＦ」が地上アナログ信号検出処理での判定結果、すなわち「地上専用ＩＦ」か「混合ＩＦ」とされる（ステップＳ１４）。ステップＳ１４において結果格納変数が更新されると、ステップＳ２０に処理が進められる。
【００８１】
このように、この例では、自動判定および結果の提示において、地上波のアナログとデジタルとを区別していないため、地上アナログ信号に関する判定が確定した場合には、地上デジタル信号検出処理のルーチンがスキップされる。これによって、自動判定に要する時間を短縮することができる。また、現在、地上アナログ放送が主流であるため、地上アナログ信号検出処理を地上デジタル信号検出処理よりも先に行う順序となっているが、地上デジタル放送の方が主流となった場合には、処理の順序を入れ替えることによって、同様の効果を得ることができる。
【００８２】
ステップＳ１３において地上アナログ信号が検出され、検出された地上アナログ放送信号のＩＦが不明であると判定されると、「地上信号」のみが「検出」とされる（ステップＳ１５）。ステップＳ１５において結果格納変数が更新されると、ステップＳ１６に処理が進められる。
【００８３】
また、ステップＳ１３において地上アナログ信号が検出されなかったと判定されると、ステップＳ１６に処理が進められる。
【００８４】
ステップＳ１６では、地上デジタル信号検出処理が行われる。地上デジタル信号検出処理では、地上デジタル信号の検出と、検出された地上デジタル信号のＩＦの判定とが行われる。なお、地上デジタル信号検出処理の詳細については、後述する。
【００８５】
ステップＳ１６において地上デジタル信号検出処理が行われると、地上デジタル信号検出処理の結果に基づき、地上デジタル信号に関する検出結果の判定が行われる（ステップＳ１７）。
【００８６】
ステップＳ１７において地上デジタル信号が検出され、且つ検出された地上デジタル信号のＩＦが確定されたと判定されると、「地上信号」が「検出」とされ、「地上信号検出ＩＦ」が地上デジタル信号検出処理での判定結果、すなわち「地上専用ＩＦ」か「混合ＩＦ」とされる（ステップＳ１８）。ステップＳ１８において結果格納変数が更新されると、ステップＳ２０に処理が進められる。
【００８７】
ステップＳ１７において地上デジタル信号が検出され、検出された地上デジタル放送信号のＩＦが不明であると判定されると、「地上信号」のみが「検出」とされる（ステップＳ１９）。ステップＳ１９において結果格納変数が更新されると、ステップＳ２０に処理が進められる。
【００８８】
また、ステップＳ１７において地上デジタル信号が検出されなかったと判定されると、ステップＳ２０に処理が進められる。
【００８９】
ステップＳ２０では、衛星信号検出処理が行われる。衛星信号検出処理では、衛星信号の検出と、検出された衛星信号のＩＦの判定とが行われる。図１に示したスプリッタ部１の構成では、分離入力設定とするか混合入力設定とするかの自動判定のためだけであれば、本質的には衛星信号検出処理を省略することができる。しかしながら、この例では、推定されたアンテナ線の接続形態、信号検出の結果および望ましくない接続がされていた場合に、接続の再確認のアドバイスがユーザに提示されるようにするために、衛星信号検出処理も行う。なお、衛星信号検出処理の詳細については、後述する。
【００９０】
ステップＳ２０において衛星信号検出処理が行われると、衛星信号検出処理の結果に基づき、衛星信号に関する検出結果の判定が行われる（ステップＳ２１）。
【００９１】
ステップＳ２１において衛星信号が検出されたと判定されると、「衛星信号」が「検出」とされ、「衛星信号検出ＩＦ」が衛星信号検出処理での判定結果、すなわち「混合ＩＦ」とされる（ステップＳ２２）。この例では、処理の簡略化のため、衛星信号が検出されると、「衛星信号検出ＩＦ」を「混合ＩＦ」としている。ステップＳ２２において結果格納変数が更新されると、ステップＳ２３に処理が進められる。
【００９２】
また、ステップＳ２１において衛星信号が検出されなかったと判定されると、ステップＳ２３に処理が進められる。
【００９３】
ステップＳ２３では、結果格納変数に基づき、接続状態が上述したケース１〜６のいずれに対応するかが判定され、判定結果に応じてアンテナ接続（１軸、２軸）の設定が適切に行われる。また、上述したように、判定結果に応じて、接続確認の結果がユーザに提示され、自動判定＆結果提示処理が終了する。
【００９４】
図１５は、結果格納変数とケース１〜６との対応関係を示す。地上信号なし、ＩＦが不明、且つ衛星信号なしの場合、すなわち、「地上信号」および「衛星信号」が共に「未検出」であり、「地上信号検出ＩＦ」および「衛星信号検出ＩＦ」が共に「不明」である場合には、ケース６と判定され、検出信号がない旨のエラー表示がなされる。
【００９５】
地上信号なし、ＩＦが不明、且つ衛星信号あり、混合ＩＦで検出の場合、すなわち、結果格納変数の「地上信号」が「未検出」であり、「地上信号検出ＩＦ」が「不明」であり、「衛星信号」が「検出」であり、「地上信号検出ＩＦ」が「混合ＩＦ」である場合には、ケース５と判定される。この場合、衛星信号のみが入力されるように、分離入力設定とされる。
【００９６】
地上信号あり、地上専用ＩＦで検出、且つ衛星信号なしの場合、すなわち、結果格納変数の「地上信号」が「検出」であり、「地上信号検出ＩＦ」が「地上専用ＩＦ」であり、「衛星信号」が「未検出」であり、「衛星信号検出ＩＦ」が「不明」である場合には、ケース２と判定される。この場合、地上信号のみが入力されるように、分離入力設定とされる。
【００９７】
地上信号あり、地上専用ＩＦで検出、且つ衛星信号あり、混合ＩＦで検出の場合、すなわち、結果格納変数の「地上信号」が「検出」であり、「地上信号検出ＩＦ」が「地上専用ＩＦ」であり、「衛星信号」が「検出」であり、「衛星信号検出ＩＦ」が「混合ＩＦ」である場合には、ケース１と判定される。この場合、地上信号と衛星信号とが別々に入力されるように、分離入力の設定とされる。
【００９８】
地上信号あり、混合ＩＦで検出、且つ衛星信号なしの場合、すなわち、結果格納変数の「地上信号」が「検出」であり、「地上信号検出ＩＦ」が「混合ＩＦ」であり、「衛星信号」が「未検出」であり、「衛星信号検出ＩＦ」が「不明」である場合には、ケース４と判定され、地上信号を混合側に接続している旨のエラー表示がなされる。
【００９９】
地上信号あり、混合ＩＦで検出、且つ衛星信号あり、混合ＩＦで検出の場合、すなわち、結果格納変数の「地上信号」および「衛星信号」が共に「検出」であり、「地上信号検出ＩＦ」および「衛星信号検出ＩＦ」が共に「混合ＩＦ」である場合には、ケース３と判定される。この場合、混合信号が入力されるように、混合入力の設定とされる。
【０１００】
地上信号あり、検出ＩＦが判定不能、且つ衛星信号なしの場合、すなわち、結果格納変数の「地上信号」が「検出」であり、「衛星信号」が「未検出」であり、「地上信号検出ＩＦ」および「衛星信号検出ＩＦ」が共に「不明」である場合には、ケース２と判定される。この場合、地上信号のＩＦが自動的に検出できなかったので、地上専用ＩＦで検出された方から地上信号が入力されるように分離入力の設定とされる。
【０１０１】
地上信号あり、検出ＩＦが判定不能、且つ衛星信号あり、混合ＩＦで検出の場合、すなわち、結果格納変数の「地上信号」および「衛星信号」が「検出」であり、「地上信号検出ＩＦ」が「不明」であり、「衛星信号検出ＩＦ」が「混合ＩＦ」である場合には、ケース１と判定される。この場合、地上信号のＩＦが自動的に検出できなかったので、地上専用ＩＦで検出された方から地上信号が入力されるように分離入力の設定とされる。
【０１０２】
ここで、上述した地上アナログ信号検出処理について詳細に説明する。地上アナログ信号検出処理では、地上信号用の増幅器１８をオフとして、分離入力設定、混合入力設定のそれぞれにおいて選局を試みる。その結果、片方だけがロックした場合は、分離入力設定および混合入力設定のうち、ロックした方に入力設定を確定する。分離入力設定および混合入力設定の両方がロックしたら、双方の信号レベルを比較し、信号レベルの強い方に入力設定を確定する。信号レベルが同じ程度のチャンネルが所定数以上となったら、地上アナログ信号の検出ＩＦを不明とみなす。
【０１０３】
図１６は、地上アナログ信号検出処理の一例を示すフローチャートである。地上アナログ信号検出処理では、まず、準備作業として、カウンタ変数である「有意差なしＣｈ数」が０（ゼロ）とされ、さらに、地上信号用の増幅器１８がオフに設定される。また、スキャン対象のチャンネルの設定と、スキャンする順序の設定とが行われる（ステップＳ３１）。例えば、スキャンは、効率よく検出するために、ＶＨＦの１チャンネルから１２チャンネル、ＵＨＦの１３チャンネルから６２チャンネルの順に行われる。なお、地上アナログ放送信号の検出が安定的に行えるのであれば、スキャン対象のチャンネルおよびスキャンの順序は、特に限定されるものではない。
【０１０４】
ステップＳ３１において増幅器１８をオフに設定するのは、地上アナログ信号検出処理では、常に地上信号用の増幅器１８を無効にして判定を行うこととしているためである。これによって、強電界下での増幅器１８によるひずみを抑えることができる。
【０１０５】
ステップＳ３１において準備作業が終了したら、次のスキャン対象チャンネル、すなわちスキャンしていないチャンネルが存在するか否かが判定される（ステップＳ３２）。ステップＳ３２において、次のスキャン対象チャンネルがあると判定されると、そのチャンネルに対して、ステップＳ３３以降の処理が行われる。
【０１０６】
ステップＳ３３では、スプリッタ部１が分離入力設定とされる。例えば、この分離入力設定後、動作が安定するまでの所定時間待機される。
【０１０７】
ステップＳ３３において分離入力設定とされたら、地上アナログ放送のスキャン対象チャンネルの選局が行われ、選局による結果が分離入力設定での結果として記憶される（ステップＳ３４）。選局の際に、スキャン対象チャンネルの信号があると判定された場合には、「分離：信号あり」を示す情報が判定信号（地上）としてメインチューナ部３から制御部５に供給され、記憶部に記憶される。スキャン対象チャンネルの信号がないと判定された場合には、「分離：信号なし」を示す情報が判定信号（地上）としてメインチューナ部３から制御部５に供給され、記憶部に記憶される。
【０１０８】
ステップＳ３４において分離入力設定での選局による結果が記憶されたら、スプリッタ部１が混合入力設定とされる（ステップＳ３５）。例えば、この混合入力設定後、所定時間待機される。
【０１０９】
ステップＳ３５において混合入力設定とされたら、地上アナログ放送のスキャン対象チャンネルの選局が行われ、選局による結果が混合入力設定での結果として記憶される（ステップＳ３６）。選局の際に、スキャン対象チャンネルの信号があると判定された場合には、「混合：信号あり」を示す情報が判定信号（地上）としてメインチューナ部３から制御部５に供給され、記憶部に記憶される。スキャン対象チャンネルの信号がないと判定された場合には、「混合：信号なし」を示す情報が判定信号（地上）としてメインチューナ部３から制御部５に供給され、記憶部に記憶される。
【０１１０】
また、ステップＳ３４，Ｓ３６のそれぞれにおいて、選局完了から動作が安定するまでの所定時間待機した後に、ＩＦＡＧＣ値とＲＦＡＧＣ値とが読み取られ、判定信号（地上）としてメインチューナ部３から制御部５に供給され、記憶部に記憶される。この分離入力設定および混合入力設定でのＩＦＡＧＣ値とＲＦＡＧＣ値は、後述する処理において使用される。
【０１１１】
ステップＳ３４，Ｓ３６における信号あり／信号なしの判定は、例えば、受信装置が備えるＡＦＴ（Automatic Fine Tuning）機能を利用することによって誤検出を防止し、より正確に行うことができる。具体的には、以下の３つがあげられる。
１．ＡＦＴ動作によって信号ありと判定された場合
２．地上用の増幅器１８がオフの条件においてＩＦＡＧＣの値が所定値よりも小さい場合
３．ＡＦＴ動作でのFine Data、すなわち確定した周波数のずれが一定範囲内であること、つまり、ＡＦＴ動作がセンター周波数から変動範囲（例えば±２ＭＨｚ）よりも所定の値だけ狭い範囲内（例えば、±１ＭＨｚの範囲内）で完了した場合
【０１１２】
このように、ＡＦＴ機能を利用することにより、通常の選局の際に取得可能な情報によって信号あり／信号なしの判定を正確に行うことができる。なお、ステップＳ３４，Ｓ３６における信号の判定方法は、特に限定されるものではなく、単なるキャリアの検出や上述した３つの条件のいずれか１つまたは２つを満たすものであってもよいが、正確性を高めるために、これら３つの条件をすべて満たした場合に信号が検出されたと判定することが好ましい。特に３番目の条件では、地上アナログ信号の信号の有無の判定の際に、下（または上）隣接チャンネルに地上デジタル信号があった場合に、その信号を引き込んでしまい、正しく判定できなくなることを防止することができる。
【０１１３】
ステップＳ３６において混合入力設定での結果が記憶されたら、記憶された結果に基づき、分離入力設定と混合入力設定での、信号あり／信号なしによる判定が行われる（ステップＳ３７）。ステップＳ３７において、分離入力設定および混合入力設定が、共に「信号なし」であると判定されると、ステップＳ３２に処理が戻される。
【０１１４】
ステップＳ３７において分離入力設定が「信号あり」であり、混合入力設定が「信号なし」であると判定されると、地上信号用の増幅器１８がこの処理を行う前の状態（例えばユーザ設定）に戻される。また、地上アナログ放送信号が検出され、地上アナログ放送信号の検出ＩＦが地上専用ＩＦであるとして（ステップＳ３８）、地上アナログ信号検出処理を終了する。
【０１１５】
ステップＳ３７において分離入力設定が「信号なし」であり、混合入力設定が「信号あり」であると判定されると、ステップＳ３８と同様に、地上信号用の増幅器１８の状態が戻される。また、地上アナログ放送信号が検出され、地上アナログ放送信号の検出ＩＦが混合ＩＦであるとして（ステップＳ３９）、地上アナログ信号検出処理を終了する。
【０１１６】
ステップＳ３７において分離入力設定および混合入力設定が、共に「信号あり」であると判定されると、分離入力設定および混合入力設定でのそれぞれの信号に有意差があるか否かが判定される（ステップＳ４０）。
【０１１７】
この判定は、上述したステップＳ３４，Ｓ３６のそれぞれにおいて記憶した、分離入力設定および混合入力設定のそれぞれのＲＦＡＧＣ値とＩＦＡＧＣ値とを使用して、有意差があるか否かと、どちらが優勢なのかを判定する。これによって、通常の選局の際に取得可能な情報によって有意差があるか否かを正確に判定できる。
【０１１８】
例えば、分離入力設定でのＲＦＡＧＣ値と混合入力設定でのＲＦＡＧＣ値との差を抽出し、差の絶対値が所定値よりも大きい場合には有意差があるとし、小さい場合には有意差がないとする。有意差がある場合には、ＲＦＡＧＣ値によってどちらが優勢かを判定する。さらに、分離入力設定でのＩＦＡＧＣ値と混合入力設定でのＩＦＡＧＣ値との差を抽出し、差の絶対値が所定値よりも大きい場合には有意差があるとし、小さい場合には有意差がないとする。有意差がある場合には、ＩＦＡＧＣ値によってどちらが優勢かを判定する。
【０１１９】
具体的には、まず、第１のＲＦＡＧＣの閾値、RFAGC_THR_1＝0x69（０．４Ｖ相当）によって、ＲＦＡＧＣに有意差があるか否かを確認し、有意差が生じなければ、ＩＦＡＧＣの閾値、IFAGC_THR＝0x2F（０．２Ｖ相当）によって、ＩＦＡＧＣに有意差があるか否かを確認し、それでも有意差が生じなければ、第２のＲＦＡＧＣの閾値、RFAGC_THR_2＝0x35（０．２Ｖ相当）によって、ＲＦＡＧＣに有意差があるか否かを確認する。いずれかの確認によって有意差が生じた場合には、有意差ありとする。
【０１２０】
なお、ステップＳ４０における判定処理は、互いの信号レベルが比較できるのであれば、このようなＲＦＡＧＣ値とＩＦＡＧＣ値とを利用するものに限定されるものではない。
【０１２１】
ステップＳ４０において有意差があり、分離入力設定の方が優勢であると判定されると、ステップＳ３８以降の処理が行われる。また、ステップＳ４０において、有意差があり、混合入力の方が優勢であると判定されると、ステップＳ３９以降の処理が行われる。
【０１２２】
スプリッタ部１の地上信号分離特性・性能により、分離入力設定および混合入力設定の双方において「信号あり」のチャンネルにおいて、例えば、強電界環境下や同一信号源から分配された２本のアンテナ線が接続されている場合、レベルの飽和などによって有意差が生じず、どちらの設定がよりレベルが高いかを決定しにくいことがある。そこで、この地上アナログ信号検出処理および後述する地上デジタル信号検出処理では、そのようなチャンネルが所定数に達した場合には、それ以上処理を繰り返しても有意差は生じないと判定し、それ以上の判定を省略するようにしている。これによって、このような場合での自動判定に要する時間を短縮化することができる。
【０１２３】
すなわち、ステップＳ４０において有意差がないと判定されると、「有意差なしＣｈ数」がインクリメントされる（ステップＳ４１）。ステップＳ４１において「有意差なしＣｈ数」がインクリメントされたら、「有意差なしＣｈ数」が所定数以上である否かが判定される（ステップＳ４４）。なお、図示した例では、所定数を５としているが、所定数は、これに限ったものではない。
【０１２４】
このように信号レベルに有意差がない場合には、分離設定入力と混合入力設定とのどちらを選択してもよいところだが、混合入力用の入力端子１２には、衛星コンバータのための電圧が供給されることがあるため、安全性を考慮して、この例では、地上アナログ信号が地上専用の入力端子１２側から入力されたものとみなす。すなわち、分離入力設定が選択される。これによって、このように信号レベルに有意差がない場合に、ユーザに地上専用の入力端子１２に接続するように、または接続されていることを確認するように提示することができる。なお、この入力設定の選択およびユーザへの提示は、後述するデジタル信号検出処理についても同様とされる。
【０１２５】
ステップＳ４１において「有意差なしＣｈ数」が所定数未満であると判定されると、ステップＳ３２に処理が戻される。また、ステップＳ４１において、「有意差なしＣｈ数」が所定数以上であると判定されると、ステップＳ３８と同様に、地上信号用の増幅器１８の状態が戻される。また、地上アナログ放送信号が検出され、地上アナログ放送信号の検出ＩＦが不明であるとして（ステップＳ４３）、地上アナログ信号検出処理を終了する。
【０１２６】
ステップＳ３２において次のスキャン対象チャンネルがないと判定されると、「有意差なしＣｈ数」が１以上である否かが判定される（ステップＳ４４）。ステップＳ４４において、「有意差なしＣｈ数」が１以上であると判定されると、ステップＳ４３以降の処理が行われる。また、ステップＳ４４において、「有意差なしＣｈ数」が１未満、つまり０（ゼロ）であると判定されると、ステップＳ３８と同様に、地上信号用の増幅器１８の状態が戻される。また、地上アナログ放送信号が未検出であり、地上アナログ放送信号の検出ＩＦが不明であるとして（ステップＳ４５）、地上アナログ信号検出処理を終了する。
【０１２７】
ここで、上述した地上デジタル信号検出処理について詳細に説明する。地上デジタル信号検出処理では、地上信号用の増幅器１８をオンとして、分離入力設定、混合入力設定のそれぞれにおいて選局を試みる。その結果、片方だけがロックした場合は、分離入力設定および混合入力設定のうち、ロックした方に入力設定を確定する。分離入力設定および混合入力設定の両方がロックしたら、双方の信号レベルを比較し、信号レベルの強い方に入力設定を確定する。信号レベルが同じ程度である場合には、地上信号用の増幅器１８をオフとして、同様の処理を繰り返す。それでも、信号レベルが同じ程度であったチャンネルが所定数以上となったら、地上デジタル信号の検出ＩＦを不明とみなす。
【０１２８】
図１７は、地上デジタル信号検出処理の一例を示すフローチャートである。地上デジタル信号検出処理では、まず、準備作業として、カウンタ変数である「有意差なしＣｈ数」が０（ゼロ）とされ、さらに、スキャン対象のチャンネルの設定と、スキャンする順序の設定とが行われる（ステップＳ５１）。例えば、スキャンは、効率よく検出するために、ＵＨＦの１３チャンネルから６２チャンネル、ＶＨＦの１チャンネルから１２チャンネルの順に行われる。なお、地上デジタル放送信号の検出が安定的に行えるのであれば、スキャン対象のチャンネルおよびスキャンの順序は、特に限定されるものではない。
【０１２９】
ステップＳ３１において準備作業が終了したら、次のスキャン対象チャンネル、すなわちスキャンしていないチャンネルが存在するか否かが判定される（ステップＳ５２）。ステップＳ５２において、次のスキャン対象チャンネルがあると判定されると、そのチャンネルに対して、ステップＳ５３以降の処理が行われる。
【０１３０】
ステップＳ５３では、地上信号用の増幅器１８がオンに設定される。ステップＳ５３において増幅器１８がオンに設定されたら、スプリッタ部１が分離入力設定とされる（ステップＳ５４）。例えば、この分離入力設定後、動作が安定するまでの所定時間待機される。
【０１３１】
ステップＳ５４において分離入力設定とされたら、地上デジタル放送のスキャン対象チャンネルの選局が行われ、選局による結果が分離入力設定での結果として記憶される（ステップＳ５５）。選局の際に、スキャン対象チャンネルの信号があると判定された場合には、「分離：信号あり」を示す情報が判定信号（地上）としてメインチューナ部３から制御部５に供給され、記憶部に記憶される。スキャン対象チャンネルの信号がないと判定された場合には、「分離：信号なし」を示す情報が判定信号（地上）としてメインチューナ部３から制御部５に供給され、記憶部に記憶される。
【０１３２】
ステップＳ５５において分離入力設定での選局による結果が記憶されたら、スプリッタ部１が混合入力設定とされる（ステップＳ５６）。例えば、この混合入力設定後、所定時間待機される。
【０１３３】
ステップＳ５６において混合入力設定とされたら、地上デジタル放送のスキャン対象チャンネルの選局が行われ、選局による結果が混合入力設定での結果として記憶される（ステップＳ５７）。選局の際に、スキャン対象チャンネルの信号があると判定された場合には、「混合：信号あり」を示す情報が判定信号（地上）としてメインチューナ部３から制御部５に供給され、記憶部に記憶される。スキャン対象チャンネルの信号がないと判定された場合には、「混合：信号なし」を示す情報が判定信号（地上）としてメインチューナ部３から制御部５に供給され、記憶部に記憶される。
【０１３４】
また、ステップＳ５５，Ｓ５７のそれぞれにおいて、選局完了から動作が安定するまでの所定時間待機した後に、ＩＦＡＧＣ値が読み取られ、判定信号（地上）としてメインチューナ部３から制御部５に供給され、記憶部に記憶される。この際、増幅器１８がオフの設定である場合にはＣＮ値も読み取られ、同様に記憶部に記憶される。この分離入力設定および混合入力設定でのＩＦＡＧＣ値およびＣＮ値は、後述する処理において使用される。
【０１３５】
ステップＳ５５，Ｓ５７における信号あり／信号なしの判定は、例えば、地上デジタル放送信号のキャリア、すなわちＯＦＤＭのキャリアが検出された場合に信号があると判定し、検出されなかった場合に、信号がないとされる。このキャリアは、フロントエンドドライバからのLock/Unlock信号によって検出することができる。なお、ステップＳ５５，Ｓ５７における信号の判定方法は、このようなキャリアの検出のみに限定されるものではい。
【０１３６】
ステップＳ５７において混合入力設定での結果が記憶されたら、記憶された結果に基づき、分離入力設定と混合入力設定での、信号あり／信号なしによる判定が行われる（ステップＳ５８）。ステップＳ５８において、分離入力設定および混合入力設定が、共に「信号なし」であると判定されると、ステップＳ５２に処理が戻される。
【０１３７】
ステップＳ５８において分離入力設定が「信号あり」であり、混合入力設定が「信号なし」であると判定されると、地上信号用の増幅器１８がこの処理を行う前の状態（例えばユーザ設定）に戻される。また、地上デジタル放送信号が検出され、地上デジタル放送信号の検出ＩＦが地上専用ＩＦであるとして（ステップＳ５９）、地上デジタル信号検出処理を終了する。
【０１３８】
ステップＳ５８において分離入力設定が「信号なし」であり、混合入力設定が「信号あり」であると判定されると、ステップＳ５９と同様に、地上信号用の増幅器１８の状態が戻される。また、地上デジタル放送信号が検出され、地上デジタル放送信号の検出ＩＦが混合ＩＦであるとして（ステップＳ６０）、地上デジタル信号検出処理を終了する。
【０１３９】
ステップＳ５８において分離入力設定および混合入力設定が、共に「信号あり」であると判定されると、分離入力設定および混合入力設定でのそれぞれの信号に有意差があるか否かが判定される（ステップＳ６１）。
【０１４０】
この判定は、上述したステップＳ５５，Ｓ５７のそれぞれにおいて記憶した、分離入力設定および混合入力設定のそれぞれのＩＦＡＧＣ値とＣＮ値とを使用して、有意差があるか否かと、どちらが優勢なのかを判定する。これによって、通常の選局の際に取得可能な情報によって有意差があるか否かを正確に判定できる。
【０１４１】
例えば、分離入力設定でのＩＦＡＧＣ値と混合入力設定でのＩＦＡＧＣ値との差を抽出し、差の絶対値が所定値よりも大きい場合には有意差があるとし、小さい場合には有意差がないとする。有意差がある場合には、ＩＦＡＧＣ値によってどちらが優勢かを判定する。さらに、分離入力設定でのＣＮ値と混合入力設定でのＣＮ値との差を抽出し、差の絶対値が所定値よりも大きい場合には有意差があるとし、小さい場合には有意差がないとする。有意差がある場合には、ＣＮ値によってどちらが優勢かを判定する。
【０１４２】
なお、ＣＮ値による判定は、増幅器１８がオフの設定である場合にのみ行うようにする。これは、増幅した場合にひずみによりＣＮレベルが逆転することがあり、それによる誤判定を避けるためである。
【０１４３】
具体的には、増幅器１８がオンの設定の場合には、ＩＦＡＧＣの閾値、IFAGC_THR＝0x0a（０．２Ｖ相当）によって、ＩＦＡＧＣに有意差があるか否かを確認し、有意差が生じた場合には、有意差ありとする。また、増幅器１８がオフの設定の場合には、ＩＦＡＧＣの閾値、IFAGC_THR＝0x0a（０．２Ｖ相当）によって、ＩＦＡＧＣに有意差があるか否かを確認し、有意差が生じなければ、ＣＮ（Carrier to Noise）の閾値、CN_LEBEL_THR＝0x3（３ｄＢ）によって、ＣＮに有意差があるか否かを確認し、いずれかの確認によって有意差が生じた場合には、有意差ありとする。
【０１４４】
なお、ステップＳ６１における判定処理は、互いの信号レベルが比較できるのであれば、このようなＩＦＡＧＣ値とＣＮ値とを利用するものに限定されるものではない。
【０１４５】
ステップＳ６１において有意差があり、分離入力設定の方が優勢であると判定されると、ステップＳ５９以降の処理が行われる。また、ステップＳ６１において、有意差があり、混合入力の方が優勢であると判定されると、ステップＳ６０以降の処理が行われる。
【０１４６】
ステップＳ６１において有意差がないと判定されると、現在の増幅器１８の設定の状態がオンであるかオフであるかが判定される（ステップＳ６２）。ステップＳ６２において増幅器１８の設定がオンであると判定されると、増幅器１８の設定をオフとし（ステップＳ６６）、ステップＳ５４以降の処理が繰り返される。
【０１４７】
ステップＳ６２において増幅器１８の設定がオフであると判定されると、「有意差なしＣｈ数」がインクリメントされる（ステップＳ６３）。ステップＳ６３において「有意差なしＣｈ数」がインクリメントされたら、「有意差なしＣｈ数」が所定数以上である否かが判定される（ステップＳ６４）。図示した例では、所定数を５としているが、所定数は、これに限ったものではない。
【０１４８】
ステップＳ６４において「有意差なしＣｈ数」が所定数未満であると判定されると、ステップＳ５２に処理が戻される。また、ステップＳ６４において、「有意差なしＣｈ数」が所定数以上であると判定されると、ステップＳ５９と同様に、地上信号用の増幅器１８の状態が戻される。また、地上デジタル放送信号が検出され、地上デジタル放送信号の検出ＩＦが不明であるとして（ステップＳ６５）、地上デジタル信号検出処理を終了する。
【０１４９】
ステップＳ５２において次のスキャン対象チャンネルがないと判定されると、「有意差なしＣｈ数」が１以上である否かが判定される（ステップＳ６７）。ステップＳ６７において、「有意差なしＣｈ数」が１以上であると判定されると、ステップＳ６５以降の処理が行われる。また、ステップＳ６７において、「有意差なしＣｈ数」が１未満、つまり０（ゼロ）であると判定されると、ステップＳ５９と同様に、地上信号用の増幅器１８の状態が戻される。また、地上デジタル放送信号が未検出であり、地上デジタル放送信号の検出ＩＦが不明であるとして（ステップＳ６８）、地上デジタル信号検出処理を終了する。
【０１５０】
図１８は、上述した衛星信号検出処理の一例を示すフローチャートである。衛星信号検出処理では、まず、準備作業として、スキャン対象のトランスポートストリーム（ＴＳ）と、スキャンする順序の設定とが行われる（ステップＳ７１）。例えば、スキャンは、誤判定の確率を下げ、効率よく検出できるように、スプリッタ部１の分離特性、性能を考慮し、適切且つ安定性の高いＴＳを選定する。具体的には、日本国内では、ＢＳのＴＳＩＤが0x40f2のＴＳと、ＢＳのＴＳＩＤが0x40f1のＴＳと、ＢＳの周波数の高い２つのトラポン（トランスポンダ）の各代表ＴＳとの最大合計４ＴＳを対象とすることによって、効率よく正確に衛星信号の有無を判定することができる。なお、衛星信号の検出が安定的に行えるのであれば、スキャン対象のＴＳおよびスキャンの順序は、特に限定されるものではない。
【０１５１】
ステップＳ７１において準備作業が終了したら、次のスキャンＴＳ、すなわちスキャンしていないＴＳが存在するか否かが判定される（ステップＳ７２）。ステップＳ７２において、次のスキャン対象ＴＳがあると判定されると、そのＴＳを対象として、ステップＳ７３以降の処理が行われる。
【０１５２】
ステップＳ７３では、衛星放送のスキャン対象ＴＳの選局が行われる。ステップＳ７３において選局が行われたら、選局の結果、スキャン対象ＴＳがあるか否かによって、信号あり／信号なしが判定される（ステップＳ７４）。スキャン対象ＴＳがあるか否かを示す情報は、判定信号（衛星）としてメインチューナ部３から制御部５に供給され、記憶部に記憶される。
【０１５３】
例えば、ＴＳがあるか否かは、Network TS からのLock/Unlockの通知によってLockが通知されている場合にはＴＳがあるとし、Unlockが通知されている場合には、ＴＳがないと判定する。Network TSは、物理トラポンにロックでき、且つ対象ＴＳのＴＳＩＤがＴＭＣＣ（Transmission and Multiplexing Configuration Control）内のＴＳリストに記載されたときに、lockを通知するモジュールである。すなわち、ドライバがロックを検出しても、対象ＴＳのＴＳＩＤがＴＭＣＣのリストに含まれていない場合には、Network TSは、Unlockを通知する。
【０１５４】
このように判定することによって、Network TSの既存のＡＰＩ（Application Programming interface）をそのまま使用することができる。なお、信号の検出の有無だけであれば、物理トラポンにロックできたことをもって信号ありとしてもよい。また、信号のあり／信号なしの判定方法は、Network TSを利用することのみに限定されるものではない。例えば単に衛星信号のキャリアが検出されたか否かによって信号の有無を判定してもよい。
【０１５５】
ステップＳ７４においてスキャン対象ＴＳの信号がないと判定されると、ステップＳ７２に処理が戻される。ステップＳ７４においてスキャン対象ＴＳの信号があると判定されると、衛星信号が検出され、衛星信号の検出ＩＦが混合であるとして（ステップＳ７５）、衛星信号検出処理を終了する。
【０１５６】
また、ステップＳ７２において次のスキャン対象ＴＳがないと判定されると、衛星信号が未検出であり、衛星信号の検出ＩＦが不明であるとして（ステップＳ７６）、衛星信号検出処理を終了する。
【０１５７】
以上説明したように、一実施形態による受信装置では、混合受信環境において、アンテナアウトレットと受信装置とを１本のアンテナ線で接続できるようになり、アンテナ接続が簡略化され、利便性を高めることができる。
【０１５８】
また、自動的に接続環境を判定し、判定結果に応じて最適な入力設定が行われるため、専門的な知識のないユーザであっても、最適な設定を行うことができる。また、自動的に行うことによって、ユーザの負担を軽減することができる。また、ユーザが分配器や分波器などの調達や接続を行う必要をなくすことができる。
【０１５９】
ユーザが容易に入力設定を行うことができるため、サポートコストを低減することができる。例えば、電話などによる接続に関する質問を減らすことができる。質問があっても、接続設定処理に誘導させることによって自動的に入力設定を行うことができるため、ユーザに専門的なことを尋ねる必要がなくなる。
【０１６０】
また、誤った接続、望ましくない接続などがされていることを検出した場合、その旨をユーザに通知し、再確認を促すことによって、誤接続が原因となる不都合、事故などの不利益状態を未然に防ぐことができる。特に、地上信号のみのアンテナ線をコンバータ用の電流が供給される混合信号用の入力端子に接続することを防止できる。
【０１６１】
分離入力設定とする接続環境であっても、混合入力設定とする接続環境であっても、スプリッタ部１以降の構成は同様にすることができ、ハードウェア設計をシンプルにすることができ、受信装置の小型化などに寄与することができる。
【０１６２】
この発明は、上述したこの発明の実施形態に限定されるものでは無く、この発明の要旨を逸脱しない範囲内で様々な変形や応用が可能である。例えば、上述した接続設定処理、自動判定＆結果提示処理、地上アナログ信号検出処理、地上デジタル信号検出処理および衛星信号検出処理などの、受信装置が行う各処理内の順序は、図示したものに限定されるものではない。例えば、自動判定＆結果提示処理内の地上アナログ信号検出処理、地上デジタル信号検出処理および衛星信号検出処理の順序を変更することも可能である。また、増幅器１８のオン／オフの順番など、判定ルーチンを変更してもよい。
【０１６３】
また、上述した一実施形態による受信装置は、衛星デジタル放送と地上デジタル／アナログ放送とが受信が可能な構成であったが、これに限らず、ケーブル・テレビ放送などを交えた他の組み合わせであってもよい。また、放送信号の入力は、入力端子１１，１２の２つに限らず、３つ以上の受信装置についても適用することができる。
【０１６４】
また、上述した一実施形態では、衛星デジタルチューナ３３、地上アナログ／デジタルチューナ３５から制御部５に判定信号が供給されるものとして説明したが、判定信号は、衛星デジタル復調・復号部３４，４４、地上デジタル復調・復号部３６，４６から制御部５に供給する構成であってもよい。その場合、例えば、各放送の同期信号を判定信号とすることができる。
【０１６５】
また、上述した説明において使用した閾値などの値は、記載した値に、特に限定されるものではない。
【図面の簡単な説明】
【０１６６】
【図１】この発明の一実施形態による受信装置のスプリッタに関する部分の構成の一例を示すブロック図である。
【図２】混合入力設定、分離入力設定のそれぞれにおける切換器の状態と信号経路とを示す図である。
【図３】接続設定処理の一例を示すフローチャートである。
【図４】設定を自動的に行うか否かをユーザに選択させる際に、ユーザに提示される表示画面の一例を示す図である。
【図５】アンテナ線の接続の確認をしている際に、ユーザに提示される表示画面の一例を示す図である。
【図６】自動判定の結果の選択肢を説明するための図である。
【図７】第１のケースにおいてユーザに提示される確認結果の表示画面の一例を示す図である。
【図８】第２のケースにおいてユーザに提示される確認結果の表示画面の一例を示す図である。
【図９】第３のケースにおいてユーザに提示される確認結果の表示画面の一例を示す図である。
【図１０】第４のケースにおいてユーザに提示される確認結果の表示画面の一例を示す図である。
【図１１】第５のケースにおいてユーザに提示される確認結果の表示画面の一例を示す図である。
【図１２】第６のケースにおいてユーザに提示される確認結果の表示画面の一例を示す図である。
【図１３】アンテナ線の接続設定をユーザに選択させる際に、ユーザに提示される表示画面の一例を示す
【図１４】自動判定＆結果提示処理の一例を示すフローチャートである。
【図１５】結果格納変数と第１〜第６のケースとの対応関係を示す図である。
【図１６】地上アナログ信号検出処理の一例を示すフローチャートである。
【図１７】地上デジタル信号検出処理の一例を示すフローチャートである。
【図１８】衛星信号検出処理の一例を示すフローチャートである。
【符号の説明】
【０１６７】
１・・・スプリッタ部
３・・・メインチューナ部
４・・・サブチューナ部
５・・・制御部
６・・・ユーザインターフェース
１１・・・入力端子（混合信号対応）
１２・・・入力端子（地上信号専用）
１３・・・分波器
１４，１５，１６・・・切換器
１７・・・増幅器（衛星信号用）
１８・・・増幅器（地上信号用）
１９・・・混合器
２０・・・分配器
３３・・・衛星デジタルチューナ
３５・・・地上アナログ／デジタルチューナ
【図１】
0004655856.tif 000002
【図２】
0004655856.tif 000003
【図３】
0004655856.tif 000004
【図４】
0004655856.tif 000005
【図５】
0004655856.tif 000006
【図６】
0004655856.tif 000007
【図７】
0004655856.tif 000008
【図８】
0004655856.tif 000009
【図９】
0004655856.tif 000010
【図１０】
0004655856.tif 000011
【図１１】
0004655856.tif 000012
【図１２】
0004655856.tif 000013
【図１３】
0004655856.tif 000014
【図１４】
0004655856.tif 000015
【図１５】
0004655856.tif 000016
【図１６】
0004655856.tif 000017
【図１７】
0004655856.tif 000018
【図１８】
0004655856.tif 000019